(57)【要約】【課題】  運送し易く、使用者が直接触れることなく容器内の粘性物を容易にかつ完全に取り出すことができ有用な容器を提供すること。【解決手段】  長型ハウジングの尾端に近い個所に一つ又は多くの開口を設けて、且つ、一つ又は多くのピストンを設けて、そのピストンの輪郭とサイズは長型ハウジングの内部の横断面の輪郭と殆ど同じで、ピストンを押さえる時、縦長の長型ハウジングに沿って滑べる。
2005523206.tif 000002
【特許請求の範囲】
【請求項１】
一つ又は多くの開口を設けられた長型ハウジングと、
長型ハウジングに封入された一つ又は多くのピストンとを含んでいる容器であり、
前記ピストンはその輪郭とサイズが長型ハウジングの内部の横断面の輪郭と殆ど同じで、前記ピストンを押さえられた時、長型ハウジングの縦長に沿って滑べり、且つ長型ハウジングの内部を複数の空気室に仕切り、
前記一つ又は多くのピストンが粘性物を長型ハウジングの内部に溜らせて，前記粘性物を開口の下端に位置する一つ又は多くの気体室から仕切られて、前記ピストンを押さえられて、その元の位置から移動する時、前記粘性物が気体室に入れて、前記長型ハウジング中の開口を経由して、流れ出されていることを特徴とする容器。
【請求項２】
前記長型ハウジング中に位置する開口が密封蓋で封入されていることを特徴とする請求項１記載の容器。
【請求項３】
前記長型ハウジング中に近い一端に開口が有して、前記長型ハウジング中に近い他端に刻痕が有して、前記刻痕を折れてから、前記長型ハウジング中に封入された前記ピストンを最初の位置から押さえて移動させて、前記長型ハウジング中に収納された前記粘性物を取り出すことを特徴とする請求項１記載の容器。
【請求項４】
前記長型ハウジング中に位置する開口が密封蓋で封入されていることを特徴とする請求項３記載の容器。
【請求項５】
前記長型ハウジング中に近い一端に開口が有して、前記長型ハウジング中に近い他端に感圧性開口が有して、前記感圧性開口を開けて前記長型ハウジング中に封入された前記ピストンを押して最初の位置から移動させて、前記長型ハウジング中に収納された前記粘性物を取り出すことを特徴とする請求項１記載の容器。
【請求項６】
前記長型ハウジング中に位置する開口が密封蓋で封入されていることを特徴とする請求項５記載の容器。
【請求項７】
前記長型ハウジング中に位置する開口は、前記長型ハウジング中に封入された前記ピストンで封入されて、前記ピストンを最初の位置から押さえて移動させて、前記粘性物が前記長型ハウジング中開口を経由して、流れ出すことを特徴とする請求項１記載の容器。
【請求項８】
前記ピストンは制限器であり、前記長型ハウジングの縦長に沿う複数の予定位置に保持されて、前記長型ハウジングに位置する内部横断面面積を縮小して、前記ピストンを最初の位置から押さえて移動させて、前記粘性物が前記長型ハウジング中開口を経由して、流れ出すことを特徴とする請求項１記載の容器。
【請求項９】
前記長型ハウジング中に位置する開口が密封蓋で封入されていることを特徴とする請求項８記載の容器。
【請求項１０】
前記長型ハウジング中に位置する複数の気体室が空気圧力で正圧を印加して、複数の密封蓋の一つが開けられでから、気体室に溜まっていた空気圧力が前記ピストンを最初の位置から押さえて移動させて、且つ前記粘性物が前記長型ハウジング中開口を経由して、流れ出すことを特徴とする請求項９記載の容器。
【請求項１１】
前記長型ハウジング中に位置する複数の空気室が局部な真空で負圧になって、複数の蓋の一つが開けられでから、空気室に溜まていた真空圧力で、前記ピストンを最初の位置から押さえて移動させて、且つ前記粘性物が前記長型ハウジング中開口を経由して、流れ出すことを特徴とする請求項９記載の容器。
【発明の詳細な説明】
【技術分野】
【０００１】
本発明は、どんなツールも使わずに、容器内に収納された粘性物をユーザーが直接接触せずに完全にかつ容易に取り出しでき、また運送もし易い、粘性物を収納する容器に関するものである。
【背景技術】
【０００２】
粘性物を運送するときや収納する容器を封入、通常不便に使うことがある。また、粘性物を取り出せるように、塗布機又は別のツールをよく使用する。軟式材質の容器を採用した従来の設計として、まず、密封蓋を締め付けて、密封された開口から、容器を押させて、粘性物を取り出すことができる。その設計には、まず、ユーザーが容器の密封蓋を開けてから、開口を露出させて、次に、容器の本体に圧力を印加することによって、容器内の中味が開口から取り出されて、このような設計は、容器内の中味を完全に取り出すことができない。それは容器の本体に圧力を印加されるとき、容器内の中味が分散されて、ある中味が容器に常時溜まっていて、容器の中に殆ど空いたでも同様である。
【０００３】
もう一つの設計は、ポンプ手段付きの吸い取り手段を採用して、開口に圧力を印加することによって、粘性物を吸い取っており、ポンプ手段を操作するとき、開口が開けられて、粘性物を取り出させている。このような設計は製造の上で、比較的に高価であり、且つ、小さい部品を取り付けることが必要である。
【発明の開示】
【発明が解決しようとする課題】
【０００４】
本発明は、密封環境中に粘性物を収納して、且つ、運送し易い容器を提供することにある。どんなツールを使わずに、且つ、ユーザーが接触せずに内部に収納された粘性物を容易に完全に取り出すことができる容器を提供することにある。
【課題を解決するための手段】
【０００５】
前記の目的を達成するために、本発明は長型容器であって、長型ハウジングの尾端に近い個所に一つ又は複数の開口を設けると共に、その内部に一つ又は複数のピストンを収容して設ける。ピストンの輪郭とサイズは長型ハウジングの内部の横断面の輪郭と殆ど同じにする。ピストンを押さえる時、長型ハウジングの縦長に沿って滑べらせることにより、長型ハウジング内の充填中味を完全に取り出すことができる容器である。
すなわち、本願の第１発明に係る容器は、一つ又は多くの開口を設けられた長型ハウジングと、長型ハウジングに封入された一つ又は多くのピストンとを含む容器であって、前記ピストンの輪郭とサイズが長型ハウジングの内部の横断面の輪郭と殆ど同じで、前記ピストンを押さえられた時、長型ハウジングの縦長に沿って滑べていて、且つ長型ハウジングの内部を複数の空気室に仕切られていて、前記一つ又は多くのピストンが粘性物を長型ハウジングの内部に溜らせて，前記粘性物を開口の下端に位置する一つ又は多くの気体室から仕切られて、前記ピストンを押さえられて、その元の位置から移動する時、前記粘性物が気体室に入れて、前記長型ハウジング中の開口を経由して、流れ出されていることを特徴とするものである。
本願の第２発明に係る容器は、前記第１発明において、長型ハウジング中に位置する開口が密封蓋で封入されていることを特徴とするものである。
本願の第３発明に係る容器は、前記第１発明において、前記長型ハウジング中に近い一端に開口が有して、前記長型ハウジング中に近い他端に刻痕が有して、前記刻痕を折れてから、前記長型ハウジング中に封入された前記ピストンを最初の位置から押さえて移動させて、前記長型ハウジング中に収納された前記粘性物を取り出すことを特徴とするものである。
本願の第４発明に係る容器は、前記第３発明において、前記長型ハウジング中に位置する開口が密封蓋で封入されていることを特徴とするものである。
本願の第５発明に係る容器は、前記第１発明において、前記長型ハウジング中に近い一端に開口が有して、前記長型ハウジング中に近い他端に感圧性開口が有して、前記感圧性開口を無理やりに開けられて、前記長型ハウジング中に封入された前記ピストンを最初の位置から押さえて移動させて、前記長型ハウジング中に収納された前記粘性物を取り出すことを特徴とするものである。
本願の第６発明に係る容器は、前記第５発明において、前記長型ハウジング中に位置する開口が密封蓋で封入されていることを特徴とするものである。
本願の第７発明に係る容器は、前記第１発明において、前記長型ハウジング中に位置する開口は、前記長型ハウジング中に封入された前記ピストンで封入されて、前記ピストンを最初の位置から押さえて移動させて、前記粘性物が前記長型ハウジング中開口を経由して、流れ出すことを特徴とするものである。
本願の第８発明に係る容器は、前記第１発明において、前記ピストンは制限器であり、前記長型ハウジングの縦長に沿う複数の予定位置に保持されて、前記長型ハウジングに位置する内部横断面面積を縮小して、前記ピストンを最初の位置から押さえて移動させて、前記粘性物が前記長型ハウジング中開口を経由して、流れ出すことを特徴とするものである。
本願の第９発明に係る容器は、前記第１発明において、前記長型ハウジング中に位置する開口が密封蓋で封入されていることを特徴とするものである。
本願の第１０発明に係る容器は、前記第９発明において、前記長型ハウジング中に位置する複数の気体室が空気圧力で正圧を印加して、複数の密封蓋の一つが開けられでから、気体室に溜まていた空気圧力が前記ピストンを最初の位置から押さえて移動させて、且つ前記粘性物が前記長型ハウジング中開口を経由して、流れ出すことを特徴とするものである。
本願の第１１発明に係る容器は、前記第９発明において、前記長型ハウジング中に位置する複数の空気室が局部な真空で負圧になって、複数の蓋の一つが開けられでから、空気室に溜まていた真空圧力で、前記ピストンを最初の位置から押さえて移動させて、且つ前記粘性物が前記長型ハウジング中開口を経由して、流れ出すことを特徴とするものである。
【発明の効果】
【０００６】
本発明は、密封の環境中に、粘性物を収納し、且つ、運送し易い容器を提供することができる。
さらに容器内に収納された粘性物をなんらの道具を用いずに、且つ、使用者が直接触れずに完全に粘性物を簡易に取り出すことができる。
【発明を実施するための最良の形態】
【０００７】
以下、本発明の容器について、図面を参照しながら説明する。
図1には、容器の最適な具体例を示す。容器は二つの尾端付きの長型ハウジング1を有する。開口3は二つの尾端のそれぞれに近いところに位置する。二つのピストン2は長型ハウジング1の内部に封入されて、ピストンの輪郭とサイズは同長型ハウジング1の内部の輪郭とサイズと略同様に、また二つの開口3の間に位置する。二つのピストン2の間には密封して、また粘性物４を長型ハウジング1の内に封入する。粘性物４は長型ハウジング1の内に封入されて、ピストン2は空気圧力又は本体の力を受け取る時、これら最初の位置から押さえられて移動する。
【０００８】
ユーザーは簡単に指で開口3のいずれを押して、また長型ハウジング1の中に、一端の開口３の下端にある空気室に加圧して、圧力を発生させて、ピストン2を押さえせて、長型ハウジング1に対向する端部の他端の開口３へ滑でいる。流体が圧縮できないので、粘性物4は長型ハウジング1に沿いて、ピストン2と同じレート及び距離で滑でいる。一旦長型ハウジング1に対向する端部のピストン2が滑られでいて、長型ハウジング1に対向する端部の他端の開口３を通過すると、粘性物4は長型ハウジング1に対向する端部の他端の開口３から流れ出て使用されている。ピストン2は長型ハウジング1に沿いて滑でいる時とともに、長型ハウジング1の内部の表面を削り取って、全ての粘性物4を完全に取り出す。ユーザーは同時に本体の力を簡単に印加して、長型ハウジング1の一端を押さえせて、実質にピストン2を押さえせて、長型ハウジング1の他端へ滑で、同様な結果を得られる。
【０００９】
図２には、図１の容器の別具体例示す。その中に、最適な具体例の二つの開口３のそれぞれは覆われた密封蓋５かある。密封蓋５は、さらに汚れものが長型ハウジング1に入れることを防止するように、また長型ハウジング1を完全に密封する結果を達成するように、開口３の下端の気体室を密封されている。
【００１０】
図３には、図１の容器の別具体例を示す。その容器は二つの尾端付きの長型ハウジング1を有する。開口3は二つの尾端に近い一端に位置する。ピストン2は長型ハウジング1の内部に封入されて、ピストンの輪郭とサイズは同長型ハウジング1の内部の輪郭とサイズと略同様に、また開口3に近い一端に位置する。ピストン2が密封されて、また粘性物４を、どんな開口がなくて刻痕6付きのピストン2と長型ハウジング1の他端の間に封入する。長型ハウジング1を折り曲げる時、長型ハウジング1が断開されている。粘性物４は長型ハウジング1内に封入されて、長型ハウジング1が刻痕6付きの個所で断開されて、またピストン2は最初位置から空気圧力又は本体の力で押さえて移動する時、粘性物４を長型ハウジング1から離れせている。
【００１１】
図３は具体例の別の変形例を示す。刻痕6付きの代わりに、感圧性開口を用いる。ピストン2は最初位置から空気圧力又は本体の力で押さえて移動して、粘性物４が長型ハウジング1の感圧性開口による密封された他端を押さえる時、圧力を発生させて、その圧力の結果によって、感圧性開口が開けられて、また容器から粘性物４を取り出すことができる。感圧性開口の設計は粘性物４がちょうど長型ハウジング1から滲出することを防止する力で長型ハウジング1の一端を密封されることによって達成するが、仮に、感圧性部材に予定量の圧力を印加すると、感圧性部材が破損することが発生する。
【００１２】
図４は具体例の別の変形例を示す。開口３は密封蓋５によって覆いでいる。密封蓋５はさらに汚れものが長型ハウジング1に入れることを防止するように、また長型ハウジング1を完全に密封する結果を達成するように、開口３の下端にある気体室を密封されている。
【００１３】
図５は具体例の別の変形例を示す。容器は二つの尾端付きの長型ハウジング1を有する。開口3は二つの尾端のそれぞれに近い個所に位置する。二つのピストン2は長型ハウジング1の内部に封入されて、ピストンの輪郭とサイズは同長型ハウジング1の内部の輪郭とサイズと略同様に、開口3毎に下端にピストン2を設けている。従って、開口3が密封されている。二つのピストン2の間に密封されて、また粘性物４を長型ハウジング1の内に封入する。粘性物４は長型ハウジング1の内に封入されて、ピストン2は空気圧力又は本体の力を受け取る時、これら最初の位置から押さえられて移動して、図6に示すように、ユーザーは長型ハウジング1のいずれの一端時、圧力を発生させて、ピストン2を押さえせて、最初の位置から滑で離れて、長型ハウジング1の他端へ向く。流体が圧縮できないので、粘性物4は長型ハウジング1に沿いて、ピストン2と同じレート及び距離で滑でいる。一旦長型ハウジング1に対向する端部のピストン2が滑でいて、長型ハウジング1に対向する端部の他端の開口３を通過すると、粘性物4は長型ハウジング1に対向する端部の他端の開口３から流れ出て使用されている。ピストン2は長型ハウジング1に沿いて滑でいる時とともに、長型ハウジング1の内部の表面を削り取っで、全ての粘性物4を完全に取り出す。
【００１４】
図７は具体例の別の変形例を示す。容器は二つの尾端付きの長型ハウジング1を有する。開口3は二つの尾端のそれぞれに近い個所に位置する。二つのピストン2は長型ハウジング1の内部に封入されて、ピストンは長型ハウジング1の内径より略小さいものを有して、制限器７によって、これらの予定位置に保持されて、また二つの開口３の間に位置する。二つのピストン2の間に密封されて、また粘性物４を長型ハウジング1の内に封入する。粘性物４は長型ハウジング1の内に封入されて、ピストン2は空気圧力又は本体の力を受け取る時、制限器７の予定位置へ移動して、一旦ピストン2は制限器７から分けると、粘性物４が長型ハウジング1の内に自在に移動する。図8に示すように、粘性物４は容器の方位につれて、何れの開口３から流し出す。
【００１５】
図９は図7の容器の具体例の別の変形例を示す。その内に、二つの開口3のそれぞれは蓋５で覆われている。密封蓋５は、さらに汚れものが長型ハウジング1に入れることを防止するように、また長型ハウジング1を完全に密封する結果を達成するように、開口３の下端の気体室を密封されている。さらに、でき上げて密封された空気室に加圧されて、正圧又は負圧になるまで、ピストン2を押さえて、制限器７にある最初位置から滑て離れて、粘性物４が長型ハウジング1の内に自在に移動させて、また図10に示すように、開口３から流し出す。
【図面の簡単な説明】
【００１６】
【図１】容器の最適な具体例であり、長型ハウジングに近い一端毎にそれぞれ一つの開口があり、合計二つの開口と、二つのピストンとを設けることを示す。
【図２】容器の別の具体例であり、密封蓋を閉じて密封された二つの開口と、長型ハウジングに近い一端毎にそれぞれ一つの開口があり、合計二つの開口と、二つのピストンとを設けることを示す。
【図３】容器の別の具体例であり、長型ハウジングに近い一端に開口及びピストンを設けて、長型ハウジングの開閉端の間に粘性物を封入されて、開閉端に近い個所に刻痕を設けることを示す。
【図４】容器の別の具体例であり、長型ハウジングに近い一端に密封蓋に閉じされた開口及びピストンを設けて、長型ハウジングの開閉端の間に粘性物を封入されて、開閉端に近い個所に刻痕を設けることを示す。
【図５】容器の別の具体例であり、二つの開口と、二つのピストンを設けて、長型ハウジングに近い一端毎にそれぞれ開口があり、その二つのピストンが二つの開口位置と同じ位置にあり、開口を密封して、粘性物を封入されていることを示す。
【図６】ピストンを押さえられてから、開口から遠く離れる位置に、長型ハウジング内の中味を取り出すことを示す。
【図７】容器の別の具体例であり、二つの開口と、二つのピストンとを設けて、長型ハウジングに近い一端毎にそれぞれ開口があり、その二つのピストンが二つの制限器による収納位置に保持して、粘性物を封入されていることを示す。
【図８】ピストンを押さえられてから、それら保持位置から遠く離れる位置に、長型ハウジング内の中味を取り出すことを示す。
【図９】容器の別の具体例であり、二つの開口と、二つのピストンとを設けて、長型ハウジングに近い一端毎にそれぞれ開口があり、その二つのピストンが二つの制限器による収納位置に保持して、粘性物を封入されていることを示す。
【図１０】ピストンを押さえられてから、それら保持位置から遠く離れる位置に、長型ハウジング内の中味を取り出すことを示す。
【符号の説明】
【００１７】
１  長型ハウジング
２  ピストン
３  開口
４  粘性物
５  密封蓋
６  刻痕
７  制限器
【図１】
2005523206.tif 000003
【図２】
2005523206.tif 000004
【図３】
2005523206.tif 000005
【図４】
2005523206.tif 000006
【図５】
2005523206.tif 000007
【図６】
2005523206.tif 000008
【図７】
2005523206.tif 000009
【図８】
2005523206.tif 000010
【図９】
2005523206.tif 000011
【図１０】
2005523206.tif 000012
【国際調査報告】
2005523206.tif 000013